(57)【要約】【課題】修正履歴の分かる数量計算書を容易に作成することができる数量計算書作成プログラムを提供すること。【解決手段】施工対象物の材料データに基づいてハードウエア上で数量計算書を作成するためのものであって、設計変更前の材料データと設計変更後の材料データによって数量計算用入力データＮ２１を作成し、その数量計算用入力データＮ２１に基づいて施工対象物を構成する各材料について設計変更前と設計変更後の数量を算出し、その算出された数量を設計変更前と設計変更後の数量とを数量データとして保存し、その数量データから修正のあった数量を判別して当該数量の修正が識別可能な表記によって設計変更後の数量計算書を作成するようにした数量計算書作成プログラム。【選択図】        図３
2008282244.tif 000002
【特許請求の範囲】
【請求項１】
施工対象物の材料データに基づいてハードウエア上で数量計算書を作成するための数量計算書作成プログラムであって、
設計変更前の材料データと設計変更後の材料データによって数量計算用入力データを作成し、
その数量計算用入力データに基づいて施工対象物を構成する各材料について設計変更前と設計変更後の数量を算出し、
その算出された数量を設計変更前と設計変更後の数量とを数量データとして保存し、
その数量データから修正のあった数量を判別して当該数量の修正が識別可能な表記によって設計変更後の数量計算書を作成するようにしたものであることを特徴とする数量計算書作成プログラム。
【請求項２】
請求項１に記載する数量計算書作成プログラムにおいて、
数量の修正が数値の変更である場合には、設計変更前の数量と設計変更後の数量とを並記し、設計変更前の数量には削除の表記をするものであることを特徴とする数量計算書作成プログラム。
【請求項３】
請求項１又は請求項２に記載する数量計算書作成プログラムにおいて、
数量の修正が、数値の変更、材料の追加又は削除のいずれかであることを示すものであることを特徴とする数量計算書作成プログラム。
【請求項４】
請求項１乃至請求項３のいずれかに記載する数量計算書作成プログラムにおいて、
修正のあった数量及びその修正内容の表記を、その他の表記と色彩を変えるようにしたものであることを特徴とする数量計算書作成プログラム。
【発明の詳細な説明】
【技術分野】
【０００１】
本発明は、鋼橋などの設計変更によって当初の数量に修正が必要になった場合に、数量計算書を出力するに当たって修正箇所であることが識別できるようにした数量計算書作成プログラムに関する。
【背景技術】
【０００２】
鋼橋工事の発注を受けた受注者側では、発注者側によって作成された数量計算書の確認が行われる。本来は、数量計算書の基となる設計図によってそのまま施工できればよいが、変更を加える必要が生じる場合がある。そうすると、設計変更に伴い当初の数量計算書について数値に変更、追加あるいは削除など、修正を加える必要が生じてしまう。そこで、修正が必要な場合には、設計変更に伴う新たな数量計算書が作成されるが、その際、受注者側で勝手に修正するのではなく、修正箇所を示して発注者の確認をとることが必要となる。そこで、修正後の数量計算書は、例えば修正した箇所に二重線を引き、新たな数値を下に書き加えるなどして修正箇所が明らかになるような形で表記することが求められている。
【特許文献１】特開２００６−１２６９８４号公報
【発明の開示】
【発明が解決しようとする課題】
【０００３】
従来は、そうした求めに応じて、数量の修正内容が分かるように数量計算書自体に手書きで修正を加えることが行われていた。すなわち、担当者は、元の数量を記載し、その数量には二重線を引き、更にその記載の下に新たな数値を記載するといったことを行っていた。そのため、数量計算書の修正は非常に手間のかかる作業であった。一方、数量計算書の数値をデータ化し、プログラムによってコンピュータに自動計算させて数量の修正を行うことは可能である。しかし、そうして得られた数量計算書は、従前の数量が終了後の新たな数量に置き換えられてしまい、修正履歴が分からないものであった。そのため、データ保存には修正の前後で別ファイルとしなければならず、数量計算書は両者を見比べて履歴が分かるように作成しなければならず、データ管理や数量計算書の作成作業が非常に手間のかかるものであった。
【０００４】
そこで、本発明は、かかる課題を解決すべく、修正履歴の分かる数量計算書を容易に作成することができる数量計算書作成プログラムを提供することを目的とする。
【課題を解決するための手段】
【０００５】
本発明の数量計算書作成プログラムは、施工対象物の材料データに基づいてハードウエア上で数量計算書を作成するためのものであって、設計変更前の材料データと設計変更後の材料データによって数量計算用入力データを作成し、その数量計算用入力データに基づいて施工対象物を構成する各材料について設計変更前と設計変更後の数量を算出し、その算出された数量を設計変更前と設計変更後の数量とを数量データとして保存し、その数量データから修正のあった数量を判別して当該数量の修正が識別可能な表記によって設計変更後の数量計算書を作成するようにしたものであることを特徴とする。
【０００６】
また、本発明に係る数量計算書作成プログラムは、数量の修正が数値の変更である場合には、設計変更前の数量と設計変更後の数量とを並記し、設計変更前の数量には削除の表記をするものであることが好ましい。
また、本発明に係る数量計算書作成プログラムは、数量の修正が、数値の変更、材料の追加又は削除のいずれかであることを示すものであることが好ましい。
また、本発明に係る数量計算書作成プログラムは、修正のあった数量及びその修正内容の表記を、その他の表記と色彩を変えるようにしたものであることが好ましい。
【発明の効果】
【０００７】
よって、本発明の数量計算書作成プログラムによれば、設計変更前後の材料データによって数量計算用入力データを作成して算出した数量を、設計変更前と設計変更後の数量データとして保存し、その数量データから修正のあった数量を判別して当該数量の修正が識別可能な表記によって設計変更後の数量計算書を作成するようにしたので、修正履歴の分かる数量計算書を容易に作成することができるようになる。
【発明を実施するための最良の形態】
【０００８】
次に、本発明に係る数量計算書作成プログラムについて一実施形態を図面を参照しながら以下に説明する。本実施形態の数量計算書作成プログラムは、例えば鋼橋の設計変更により当初の数量に修正を加える必要が生じた場合に、その修正による変化の前後が識別できるようにした数量計算書を作成するようにしたものである。その数量計算書作成プログラムはコンピュータに格納され、モニタに映し出される入力画面をもとに作業者が数値入力を行うことによって実行される。
【０００９】
ここで、図１及び図２は、本実施形態の数量計算書作成プログラムが実行する数量計算書作成の流れを概略的に示した図であり、特に図１は設計変更前の場合を示し、図２は設計変更後の場合を示している。また、図３は、こうして数量計算書作成をイメージした図であり、（ａ）が設計変更前を、（ｂ）が設計変更後を示している。
先ず、設計された鋼橋について、その材料データがコンピュータに入力され、数量計算用入力データＮ１１の作成が行われる（Ｓ１０１）。この数量計算用入力データＮ１１は、鋼橋を構成する主桁や横桁、或いは架設材などの寸法や個数など、各種構成要素に関する材料データである。そこで、作業者が、キーボードなどの入力手段を使用して、設計図面などから得られる各要素の材料デ−タをコンピュータに入力する。
また、こうした手入力の他にも、例えば自動設計プログラムによって鋼橋設計が行われるような場合には、作成された設計データから各種構成要素に関する材料データが自動的に抽出させるようにすることも可能である。
【００１０】
次に、Ｓ１０１で作成された数量計算用入力データＮ１１に基づき、鋼橋を構成する主桁や横桁などを構成する各材料の数量計算が実行される（Ｓ１０２）。数量計算では、そうした各材料の重量や塗装面積などの値や、各材料の数量総括値が算出される。そして、Ｓ１０２で得られた個別データや数量総括データが数量計算出力データＮ１２として出力される（Ｓ１０３）。Ｓ１０１〜Ｓ１０３は設計変更がない場合であって、数量計算出力データＮ１２は修正のない数量計算書として作成され、画面表示や印刷による出力が行われる。
【００１１】
しかし、鋼橋の設計に変更があった場合には、それに伴って鋼橋を構成する主桁などの構成要素の数量にも変更が生じるため、数量計算書には修正が加えられる。そうした場合、本実施形態では、図３に示す数量計算出力データＮ２２のように、例えば取消線（二重線）が引かれた修正前の数量と修正後の数量とが並記して出力され、その変化が分かるようにしている。それには、本実施形態の数量計算書作成プログラムにより、図２の流れに示す処理が行われる。
【００１２】
先ず、材料データの入力によって数量計算用入力データＮ２１が作成される（Ｓ２０１）。ただし、この場合の数量計算用入力データＮ２１は、例えば「Data３」に見られるように、設計変更前のデータに加え、設計変更によって修正を加える必要が生じた新たなデータの入力も行われる。そして、こうした数量計算用入力データＮ２１の入力も、作業者がキーボードなどによって入力する手入力の他、自動設計プログラムによって設計が行われるような場合には、作成された設計データから各種構成要素に関する材料データが自動的に抽出して保存させるようにすることも可能である。
【００１３】
次に、Ｓ２０１で作成された数量計算用入力データＮ２１に基づき、鋼橋を構成する主桁や横桁などを構成する各材料の数量計算が実行される（Ｓ２０２）。この数量計算では各材料の重量や塗装面積などの値や各材料の数量総括値が算出されるが、特に設計変更データが入力されたＳ２０２の処理では、設計変更前と設計変更後の数量についてそれぞれ算出が行われる。そして、Ｓ２０２で得られた個別データや数量総括データが数量計算出力データＮ２２として出力される（Ｓ２０３）。
【００１４】
このＳ２０１〜Ｓ２０３では、前述したように設計変更が生じた場合であって、数量計算出力データＮ２２は、数量の修正が行われた修正数量計算書として作成され、画面表示や印刷による出力が行われる。修正数量計算書の出力に当たっては、Ｓ２０２で算出された数量が設計変更前と設計変更後の数量データとして保存されているため、出力の段階で設計変更による数量データの変更箇所が判別される。そして、変更があった数量データについては設計変更前の数量データに二重線が引かれ、その下に設計変更後の数量データが並記して記載された状態で画面表示や印刷が行われる。
【００１５】
次に、本実施形態の数量計算書作成プログラムを格納したコンピュータによって実行する、前述した数量計算書の作成について更に具体的に説明する。図４は、コンピュータのモニタに表示されたデータ入力画面１０の一部を示した図である。このデータ入力画面１０は、図１に示す数量計算用入力データ作成工程（Ｓ１０１，Ｓ２０１）を実行する際の一画面を示したものである。このデータ入力画面１０には、左のタイトル欄１１に、例えば「８０２数量計算の基本条件」や「８０３塗装計算の基本条件」或いは「８０５数量計算の定義」など、各項目のタイトル名が表示される。各項目は条件や定義の説明ファイルなどであり、タイトル名を指定することにより格納されているデータの内容が表示されるようになっている。
【００１６】
そして、最下段の「８２０材料データ」は、鋼橋を構成する「８２１主桁」や「８２２主桁継手」、「８２３横桁」など、鋼橋の各種構成要素のデータ入力フォーマットのファイルが格納されたフォルダである。従って、「８２０材料データ」の指定により、各種構成要素の要素名がツリー状に表示され、例えば「８２１主桁」を指定することにより、図４に示すような主桁のデータ入力欄１２がデータ入力画面１０に表示される。そこで、このデータ入力欄１２には、主桁に関する材料データが所定のセル毎に入力される。自動設計プログラムを使用して鋼橋を設計する場合には、そのプログラムと連動させることにより、材料データが自動的に読み込まれ、所定のセル毎に入力される。一方、自動設計プログラムを使用していない場合は、作業者が各セルに各種材料データを入力する。
【００１７】
例えば、図４に示した主桁の材料データを入力する場合には、ブロックの項目には「８１２ブロックの定義」で設定した記号（Ｇ１）が入力され、その他にも個数、使用箇所、材種のセルには所定の情報（１，ＷＥＢ，ＰＬ鋼板）が入力される。更に、基本データとして材料の具体的な寸法が入力される。図４に示した第２行目の主桁材料は鋼板（プレート）であり、幅寸法５００ｍｍ、厚さ寸法９ｍｍそして長さ寸法１００００ｍｍといった数値が入力される。こうした情報や寸法などが材料データであって、図１のＳ１０１で入力されるものであり、これによって図３の数量計算用入力データＮ１１が作成される。
【００１８】
そして、数量計算用入力データＮ１１には、更に修正Typeと修正Version という項目が設けられており、変更がない場合には図示するように修正Typeのセルに「なし」と入力され、その一方で、変更を加える必要がある場合には、変更内容に応じてコメントが入力される。なお、設計変更によって修正が生じた場合については後述する。また、修正Version のセルには日付が入力されるが、修正がない場合には所定の基準日が入力され、設計変更によって修正が必要な場合には当該入力データ作成時の日付が入力される。
【００１９】
こうして、コンピュータに入力された材料データによって、数量計算用入力データＮ１１が作成される。なお、図４には８２１主桁の特に１行分しか示していないが、単に簡略化して示しただけであり、本来は８１２ブロックの定義に従って、主桁に関する各ブロックの材料が複数指定され、各々の材料データが入力されることになる。また、主桁の他にも横桁や継手などに関して、左のタイトル欄１１の「８２２主桁継手」や「８２３横桁」などを指定することにより、図４に示すような主桁と同様のデータ入力欄１２がデータ入力画面１０に表示され、材料データが同じように入力可能になる。
【００２０】
続いて、数量計算用入力データＮ１１が作成されると、図１に示したように、そのデータによって鋼橋を構成する主桁や横桁などの各材料の数量計算が実行される（Ｓ１０２）。そして、その結果に基づいて主桁や横桁などを構成する各材料の重量や塗装面積などの数量計算出力データＮ１２が、図５（ａ）に示す個別材料計算書や図５（ｂ）に示す数量総括表として画面表示されたり、印刷されて出力される（Ｓ１０３）。図５（ａ）に示す個別材料計算書は、図４に示す材料データの入力によって得られた各材料の個別の数量を出力し、図５（ｂ）に示す数量総括表は、材料数分を加算して得た合計の数量を出力したものである。
【００２１】
次に、設計変更によって材料データに修正が必要な場合を説明する。ここで、図６は、モニタに表示されたデータ入力画面２０の一部を示した図であり、図４に記載した材料データに修正を加える場合を示している。タイトル欄２１の「８２１主桁」を指定することにより、主桁のデータ入力欄２２が画面に表示され、前述したように材料データが入力される。そして、特に修正が行われる場合には、変更前の材料データが前述した場合と同様に入力され、加えて修正が必要な材料データの直ぐ下の行に変更後の材料データが入力される。
【００２２】
ここでは、ブロックＧ１の材料に関し、板厚が９ｍｍから１２ｍｍへと数値を変更する必要があった場合であり、そのためsize２のセルに「１２」の値を入力する。こうした数値の変更である場合には、修正Typeには「上の行修正」と入力し、修正Version には修正を行った日付が入力される。こうして変更前の材料データに加え、変更後の材料データが図２のＳ２０１において入力されるものであり、これによって図３の数量計算用入力データＮ２１が作成される。
【００２３】
そして次に、この数量計算用入力データＮ２１に基づき設計変更後の鋼橋について、図２のＳ２０２に示す数量計算が実行され、算出された数量が設計変更前と設計変更後の数量データとして保存される。そして、出力の段階で設計変更による数量データの変更箇所が判別され、各材料の数量計算出力データＮ２２が、図７（ａ）に示す個別材料計算書や図７（ｂ）に示す数量総括表として画面表示されたり、印刷されて出力される（Ｓ２０３）。
【００２４】
図７（ａ）に示す個別材料計算書は、図６に示す材料データの入力によって得られた各材料の個別の数量が出力されたものであり、板厚が９ｍｍから１２ｍｍに変更したことによる数値の変更が示されている。すなわち、寸法や重量などについて変更前後の数値が並記され、特に上に表記された変更前の数値には削除の二重線が引かれている。そして、備考欄には変更が生じたことを知らせる「修正」の文字が表記される。また、図７（ｂ）に示す数量総括表は、材料の合計数量を出力したものであるが、ここでも変更前後の数値が並記され、特に上に表記された変更前の数値には削除の二重線が引かれている。そして、個別材料計算書と数量総括表のいずれについても、例えば、全体を黒色で表記するのに対し、変更前後の数値や修正の文字などを赤色で表記するようにして、修正箇所を更に分かりやすくしている。
【００２５】
次に、設計変更によって材料の追加が必要な場合を説明する。ここで、図８は、モニタに表示されたデータ入力画面３０の一部を示した図であり、図４に記載した材料データに追加材料のデータを入力する場合を示している。
先ず、タイトル欄３１の「８２１主桁」を指定することにより、主桁のデータ入力欄３２が画面に表示され、前述したように材料データが入力される。そして、特に設計変更によって材料の追加が必要な場合には、設計変更前から存在する材料について材料データが入力され、更に追加材料についての材料データが同様に入力される。
【００２６】
ここでは、ブロックＧ１の材料に関し、板厚が９ｍｍの鋼板の他に１２ｍｍの鋼板を追加する。そのため、データ入力欄３２の３行目には、size２のセルに１２を入力した材料データが新たに追加入力される。そして、新たな材料追加の場合には、修正Typeに「追加行」と、追加修正が行われることを示す内容が入力され、修正Version には修正を行った日付が入力される。こうしてデータ入力欄３２に入力された材料データによってＳ２０１の数量計算用入力データＮ２１が作成される。
【００２７】
そこで、設計変更後の鋼橋について数量計算が実行され（図２のＳ２０２）、算出された数量が設計変更前と設計変更後の数量データとして保存される。そして、出力の段階で設計変更による数量データの変更箇所が判別され、各材料の数量計算出力データＮ２２が、図９（ａ）に示す個別材料計算書や図９（ｂ）に示す数量総括表として画面表示されたり、印刷されて出力される（Ｓ２０３）。
図９（ａ）に示す個別材料計算書は、図８に示す材料データの入力によって得られた各材料の個別の数量が出力されたものであり、材料として板厚９ｍｍの鋼板に板厚１２ｍｍの鋼板が加えられている。すなわち、２種類の鋼板について寸法や重量などの数値が並記され、特に追加された材料に関しては赤色で表記されている。
【００２８】
更に、材料の追加によって数値の変更が生じた点については、変更前後の数値が赤色で並記され、特に上に表記された変更前の数値には二重線が引かれている。そして、備考欄には追加された行に「追加」の文字が赤色で表記され、変更が生じた行の備考欄には「修正」の文字が赤色で表記される。また、図９（ｂ）に示す数量総括表は、材料の合計数量を出力したものであるが、ここでも変更前後の数値が並記され、特に上に表記された変更前の数値には削除の二重線が引かれている。そして、追加や変更のあった箇所は赤色で表記するようにして修正箇所を更に分かりやすくしている。
【００２９】
次に、設計変更によって材料データの削除が必要な場合を説明する。ここで、図１０は、モニタに表示されたデータ入力画面４０の一部を示した図であり、図４に記載した材料データを削除する場合を示している。
先ず、タイトル欄４１の「８２１主桁」を指定することにより、主桁のデータ入力欄４２が画面に表示され、前述したように材料データが入力される。そして、特に設計変更によって材料の削除が必要な場合には、設計変更前の当該材料について削除指示が入力される。すなわち、材料削除の場合には、修正Typeに「削除行」と入力され、修正Version には修正を行った日付が入力される。
【００３０】
こうしてデータ入力欄４２に入力された材料データによってＳ２０１の数量計算用データＮ２１が作成され、設計変更後の鋼橋について数量計算が実行される（Ｓ２０２）。そして、算出された数量が設計変更前と設計変更後の数量データとして保存される。出力の段階では、設計変更による数量データの変更箇所が判別され、各材料の数量計算出力データＮ２２が、図１１（ａ）に示す個別材料計算書や図１１（ｂ）に示す数量総括表として画面表示されたり、印刷されて出力される（Ｓ２０３）。図１１（ａ）に示す個別材料計算書は、図１０に示す材料データの入力によって得られた各材料の個別の数量が出力されたものであり、特にここでは図示するように、削除対象となった当該材料について全て削除の二重線が引かれている。
【００３１】
更に、材料の削除によって数値の変更が生じものは、変更前後の数値が赤色で並記され、特に上に表記された変更前の数値には二重線が引かれる。そして、備考欄には削除された行には「削除」の文字が赤色で表記される。また、図１１（ｂ）に示す数量総括表は、材料の合計数量を出力したものであるが、ここでも変更前後の数値が並記され、特に数量計算の結果、変更後のデータが空であると判断された場合には削除の二重線が引かれている。そして、削除や変更のあった箇所は赤色で表記されている。
【００３２】
よって、本実施形態の数量計算書作成プログラムによれば、設計変更前後の材料データによって数量計算用入力データを作成して算出した数量を、設計変更前と設計変更後の数量データとして保存し、その数量データから修正のあった数量を判別して当該数量の修正が識別可能な表記によって設計変更後の数量計算書を作成するようにしたので、修正履歴の分かる数量計算書を容易に作成することができるようになった。
【００３３】
なお、本発明の数量計算書作成プログラムは前記実施形態に限定されるものではなく、その趣旨を逸脱しない範囲で様々な変更が可能である。
例えば、前記実施形態では、鋼橋の施工に当たって必要となる数量計算書を例に挙げて説明したが、数量計算書が必要になるものであれば鋼橋に限るものではない。
また、本プログラムでは、先に設計変更前と設計変更後を個々に数量計算を行い、計算書作成段階で修正履歴を判別して処理する手法をとっているが、設計変更後の数量計算と計算書処理を同時に行いながら、設計変更前の修正履歴を判別して処理する手法もある。
【図面の簡単な説明】
【００３４】
【図１】数量計算書作成プログラムが実行する、修正がない場合の数量計算書作成の流れを概略的に示した図である。
【図２】数量計算書作成プログラムが実行する、修正がある場合の数量計算書作成の流れを概略的に示した図である。
【図３】数量計算書作成プログラムが実行する数量計算書作成をイメージした図である。
【図４】コンピュータのモニタに表示されたデータ入力画面の一部を示した図である。
【図５】数量計算書作成プログラムによって作成された修正がない場合の個別材料計算書及び数量総括表を示した図である。
【図６】コンピュータのモニタに表示されたデータ入力画面の一部を示した図であり、特に修正を加える場合を示している。
【図７】数量計算書作成プログラムによって作成された修正（数値の変更）ありの個別材料計算書及び数量総括表を示した図である。
【図８】コンピュータのモニタに表示されたデータ入力画面の一部を示した図であり、特に材料の追加を行う場合を示している。
【図９】数量計算書作成プログラムによって作成された修正（材料の追加）ありの個別材料計算書及び数量総括表を示した図である。
【図１０】コンピュータのモニタに表示されたデータ入力画面の一部を示した図であり、特に材料の削除を行う場合を示している。
【図１１】数量計算書作成プログラムによって作成された修正（材料の削除）ありの個別材料計算書及び数量総括表を示した図である。
【符号の説明】
【００３５】
１０  データ入力画面
１１  タイトル欄
１２  データ入力欄
Ｎ１１，Ｎ２１  数量計算用入力データ
Ｎ１２，Ｎ２２  数量計算出力データ
【図１】
2008282244.tif 000003
【図２】
2008282244.tif 000004
【図３】
2008282244.tif 000005
【図４】
2008282244.tif 000006
【図５】
2008282244.tif 000007
【図６】
2008282244.tif 000008
【図７】
2008282244.tif 000009
【図８】
2008282244.tif 000010
【図９】
2008282244.tif 000011
【図１０】
2008282244.tif 000012
【図１１】
2008282244.tif 000013